(57)【要約】【課題】商品のトレーサビリティ情報をネットワークを介さずとも音声で取得することができ、しかも、消費者に情報取得のためのコストを負担させることがない情報提供システムを実現した。【解決手段】商品にはそのトレーサビリティ情報から一意に定まるトレースナンバーを記録した２次元バーコード１００９が印刷された商品ラベル１００２を貼付しておき、これを本システムに翳すとセンサー１００３が反応して、システム本体１０１０のスイッチ入力１００８を通してシステム本体１０１０起動する。そして、バーコードリーダ１００１が２次元バーコードを読み取り、読み取ったデータを通信部１００５を通してマイコン回路で構成される制御部１００６で処理して、トレースナンバーに対応する音声データを音声再生部１００７から読み出してスピーカ１００４に出力することによって実現する。【選択図】  図１
2008210074.tif 000002
【特許請求の範囲】
【請求項１】
市販のバーコードリーダとマイコン回路を組み合わせたものであり、商品を差し出すと自動的に商品ラベルに印刷されている２次元バーコードに記録されているトレースナンバーをバーコードリーダで読み取り、そのデータに対応する音声データを再生することによって商品に関する情報を音声で案内する機器操作が不要なシステムである。
【請求項２】
前記の２次元バーコードには商品製造元のＵＲＬ（Ｕｎｉｆｏｒｍ  Ｒｅｓｏｕｒｃｅ  Ｌｏｃａｔｏｒ）、およびトレースナンバーが記録されており、２次元バーコード読み取り機能を有する携帯電話で読み取ればインターネット経由でデータを得ることもでき、このような機能を有しつつ、ネットワークに頼ることなくトレースナンバーから商品の情報を得ることもできるシステムである。
【発明の詳細な説明】
【技術分野】
【０００１】
本発明は、商品に印刷された２次元バーコードから商品に関する情報を音声で案内する情報提供装置である。
【背景技術】
【０００２】
バーコードを利用した情報提供システムとして、例えば、特許文献１〜４に示すようなものが知られており、これらの応用としてＱＲコードをはじめとする２次元バーコードを用いた携帯電話やホームページを媒介としたトレーサビリティ情報システムが食品業界等で広く普及しており、食の安全・安心のための情報発信に大きな役割を果たしている。また、商品の識別情報を音声案内するシステムとしては特許文献５に示すようなものがある。
【特許文献１】特開２００５−３３９４８１
【特許文献２】特開２００５−２７６０５９
【特許文献３】特開２００４−２３５７９８
【特許文献４】特開２００３−１１０７３０
【特許文献５】特開平７−１８２８３７
【発明の開示】
【発明が解決しようとする課題】
【０００３】
特許文献１から特許文献４に示すシステムは情報通信ネットワークを介して情報提供を行うシステムである。しかし、高齢者や視覚障害者にとっては、パーソナルコンピュータや携帯電話にバーコードを入力して情報を得るという操作は容易であるとは言い難く、また携帯電話の画面に表示される文字情報は見やすいものといえない。そこで、情報通信ネットワークによる情報発信だけでなく、機器操作が不要でかつ文字情報のみに頼らない情報提供システムが望まれている。
【０００４】
携帯電話からインターネットを介して情報を得るためには、携帯電話の通信料金を消費者が負担しなければならない。
【０００５】
携帯電話はバーコード読み取り機能が不可欠であり、これらの機能を有しない旧式の携帯電話やカメラなしの携帯電話では情報を取得することができない。
【０００６】
特許文献５のような従来の一次元バーコードでは記録するデータ量にも限度があり、ＵＲＬなどの情報を記録することができないのでネットワーク対応は不可能であり、また、生産日などのような日々変化するデータの音声案内には対応させることができない。
【課題を解決するための手段】
【０００７】
本発明は前記に述べた課題を解決することができるものであり、請求項１に挙げた機能を情報通信ネットワークやパソコン、携帯電話等の機器操作なしに実現する。そのために必要となるものは、２次元バーコードが読み取れる市販のバーコードリーダ、音声再生用のスピーチレコーダＩＣとスピーカ、および、バーコードリーダとスピーチレコーダを制御するための制御回路である。また、本装置には商品を差し出すとセンサーが感知して自動的にシステムのスイッチが入るようにすることで、機器操作を不要としている。
【０００８】
上記に記した請求項１の発明は、制御部にはワンチップマイコンを用いた内蔵プログラムで動作する回路として構成することで、回路自体をワンチップマイコンに記録されるソフトウェアで動作させることで実現している。
【０００９】
再生用の音声はスピーチレコーダに予めマイクなどを通して録音しておく。必要となる最低限の音声データは月日と生産地、および最初と最後のメッセージのデータであり、これらの音声データ量は高々１分程度を収めることができるので、スピーチレコーダＩＣは１個で済ませることができる。また、音声の変更はスピーチレコーダとソフトウェアの変更で実現することができる。
【００１０】
商品ラベルには商品製造元のＵＲＬ、およびトレースナンバー（ＮＯ）が記録されており、携帯電話等のネットワーク機器があれば、インターネット経由で情報を得ることができる。このトレースＮＯは生産日や生産地などのトレーサビリティ情報によって一意に定まる５桁の値である。ネットワーク機器がない場合は、請求項１で示した構成のシステムを用いてトレースＮＯのみを取り出し、制御部でトレースＩＤから生産日などの情報を算出する。そして、予め音声を録音してある音声再生部から該当する音声データを選び、それをスピーカで再生することによって音声案内を行うことによって、請求項２の発明を実現している。
【発明の効果】
【００１１】
本発明によって、請求項２の機能を実現することができるので、消費者のニーズに応じた形の情報を提供することができる。
【００１２】
情報通信ネットワークを用いなければ消費者側に情報提供の際に通信料がかからないので、消費者側のコスト負担軽減にも寄与している。
【００１３】
他社のトレーサビリティシステムは情報ネットワークに依存しているためパソコンやカメラつき情報端末（ＰＤＡ）の利用が不可欠であり、これらはトレーサビリティ情報のみを提供するシステムとしては高価である。一方、本システムはＰＣなどを用いず、機器本体は必要最小限の簡単なマイコン回路のみで構成されているため、１台あたりのコストを低く抑えることができる。
【００１４】
このトレースナンバーは生産日や生産地などのその商品固有の情報によって一意に定まる値である。したがって、従来のように携帯電話等のネットワーク機器を利用してインターネット経由で情報を提供できる機能を有しつつ、ネットワーク機器がなくても商品に関する情報を提供できる特徴を有するシステムである。
【００１５】
本システムに接続するバーコードリーダには対象とする商品や、商品ラベルのサイズに応じてさまざまな種類のものを利用することができるうえ、制御部のソフトウェアを書き換えるだけで商品ラベルやデータの変更やさまざまな機能を追加することができるシステムである。トレースナンバーはソフトウェアの変更によって桁数を増やすことも可能である。
【発明を実施するための最良の形態】
【００１６】
以下に、本発明の一実施形態を説明する。
【実施例】
【００１７】
本音声トレーサビリティ情報提供システムは図１に示すブロック図で構成される。２次元バーコードリーダ１００１はパソコン接続用のインターフェースを有する市販の汎用品を適用することができる。このバーコードリーダは商品を近づけることで、センサー１００３が感知してシステム本体１０１０を起動する。起動したら、２次元バーコード１００２を読み取り、その読み取ったデータをマイコンで処理して音声をスピーカ１００４で出力する。
【００１８】
店頭に陳列する商品には、図２に示すような２次元バーコード２００１を印刷したラベルを貼付する。システムは商品近くの目立つ場所に設置しておき、消費者は商品を本システムに差し出すだけで自動起動するようにすれば機器操作が不要となる。
【００１９】
図２のトレースナンバー２００２は、この例では５桁であるが、桁数を増やすことにより、さまざまな商品のトレーサビリティ情報を含ませることができ、処理内容はマイコン内のソフトウェアやスピーチレコーダ内の音声データの追加で対応できる。
【図面の簡単な説明】
【００２０】
【図１】音声トレーサビリティ情報システムのブロック図
【図２】商品ラベル
【図３】音声でトレーサビリティ情報を得る手順の流れを示すフローチャート
【符号の説明】
【００２１】
１００１  ２次元バーコードリーダ
１００２  商品ラベル
１００３  商品感知センサー
１００４  スピーカ
１００５  通信部（インターフェースＩＣ）
１００６  制御部（ワンチップマイコン）
１００７  音声再生部（スピーチレコーダＩＣ）
１００８  制御部起動スイッチ入力
１００９  ２次元バーコード（トレースＩＤデータ）
１０１０  音声トレーサビリティ情報システム本体
２００１  ２次元バーコード
２００２  トレースナンバー（トレースＮＯ）
【図１】
2008210074.tif 000003
【図２】
2008210074.tif 000004
【図３】
2008210074.tif 000005